(57)【要約】【課題】ドア部およびリッド部を、いわゆる回動モードで確実に作動させることができるようにする。【解決手段】エアバッグリッド部材３と、エアバッグリッド部材３の裏面側に配設された樹脂製枠部材４とを備え、エアバッグリッド部材３が、裏面側に形成された閉ループ状の開裂溝６によって、ヒンジ中心部７を有して開成されるリッド部８と、リッド部８の外周を取囲む外周部９とに区画分けされ、樹脂製枠部材４が、リッド部８に固着されるドア部１１と、外周部９に固着される枠部１２と、ドア部１１および枠部１２の間のヒンジ中心部７の下方部分を余長を有して連結する余長部１３とを備えたエアバッグリッド部構造であって、ヒンジ中心部７の下方部分に、ドア部１１および枠部１２の間を、余長部１３よりも短い長さで連結するブリッジ部３１を部分的に設けるようにしている。【選択図】図１
2008062907.tif 000002
【特許請求の範囲】
【請求項１】
エアバッグリッド部材と、該エアバッグリッド部材の裏面側に配設された樹脂製枠部材とを備え、
前記エアバッグリッド部材が、裏面側に形成された閉ループ状の開裂溝によって、ヒンジ中心部を有して開成されるリッド部と、該リッド部の外周を取囲む外周部とに区画分けされ、
前記樹脂製枠部材が、リッド部に固着されるドア部と、外周部に固着される枠部と、前記ドア部および枠部の間の前記ヒンジ中心部のほぼ下方部分を余長を有して連結する余長部とを備えたエアバッグリッド部構造において、
前記余長部の位置に、前記ドア部および枠部の間を、前記余長部よりも短い長さで連結するブリッジ部を部分的に設けたことを特徴とするエアバッグリッド部構造。
【請求項２】
前記ブリッジ部と前記余長部との間に、両者を分離するスリットを設けると共に、該スリットを前記ドア部の側に延長して、前記ドア部を、ブリッジ部側ドア部と余長部側ドア部とに分離したことを特徴とする請求項１記載のエアバッグリッド部構造。
【請求項３】
前記ブリッジ部を、余長部の両側位置に設けたことを特徴とする請求項１または２に記載のエアバッグリッド部構造。
【発明の詳細な説明】
【技術分野】
【０００１】
この発明は、エアバッグリッド部構造に関するものである。
【背景技術】
【０００２】
自動車などの車両には、車室内の前部に、図８に示すようなインストルメントパネル１が設けられている。このインストルメントパネル１には、助手席側の部分に助手席用のエアバッグ装置が設けられている。この助手席用のエアバッグ装置は、緊急時にインストルメントパネル１の部分から袋状のエアバッグ本体を車室内乗員側へ向けて膨出させることにより、乗員を保護・拘束し得るようにしたものである。このような助手席用のエアバッグ装置は、エアバッグ本体を膨出可能に備えたエアバッグモジュールと、インストルメントパネル１からのエアバッグ本体の膨出開口部となるエアバッグリッド部２とを備えている（例えば、特許文献１参照）。
【０００３】
このうち、エアバッグリッド部２は、図９に示すように、エアバッグリッド部材３と、このエアバッグリッド部材３の裏面側に配設された樹脂製枠部材４とを備えている。
【０００４】
上記したエアバッグリッド部材３は、裏面側に閉ループ状の開裂溝６を備えており、この開裂溝６によって、ヒンジ中心部７を有して開成されるリッド部８と、このリッド部８の外周を取囲む外周部９とに区画分けされている。
【０００５】
また、上記した樹脂製枠部材４は、リッド部８に固着されるドア部１１と、外周部９に固着される枠部１２と、前記ドア部１１および枠部１２の間の前記ヒンジ中心部７のほぼ下方部分を所要の余長を有して連結する余長部１３とを備えている。
【０００６】
そして、緊急時にエアバッグモジュールから膨張・展開したエアバッグ本体は、図１０に矢印Ａで示すように、ドア部１１およびリッド部８を下側から押圧し、図１１に示すように、閉ループ状の開裂溝６を破断してドア部１１およびリッド部８を開成し、インストルメントパネル１の部分に膨出開口部を形成することによって、車室内へ膨出して行くように作動する。
【０００７】
一方、閉ループ状の開裂溝６が破断されることにより開成を開始したドア部１１およびリッド部８は、図１１に矢印Ｂおよび破線で示すように、ヒンジ中心部７を中心として最後まで回動すると共に、余長部１３は、この回動に追従して伸びることにより回動を補助し、且つ、ドア部１１と枠部１２との分離による飛散を防止するように作動することが予定されている。
【特許文献１】特開２００４−１７５３０３号公報
【発明の開示】
【発明が解決しようとする課題】
【０００８】
しかしながら、上記したエアバッグリッド部構造では、閉ループ状の開裂溝６が完全に破断された後、ドア部１１およびリッド部８が、破断されたヒンジ中心部７を中心として最後まで回動する、いわゆる回動モード（図１１中、矢印Ｂ参照）とはならずに、余長部１３が成り行きまかせに伸びた結果、ドア部１１およびリッド部８が並進してしまう、いわゆる並進モード（図１２中、矢印Ｃ参照）となるようなことが稀に生じていた。
【０００９】
これは、閉ループ状の開裂溝６が破断されてドア部１１およびリッド部８がフリーとなってから余長部１３が回動を補助する機能を発揮し得る状態となるまでの間にタイムラグがあることや、余長部１３が長くて可動自由度があることなどが悪い方向に作用して、並進モードが発生してしまうのではないかと考えられている。
【課題を解決するための手段】
【００１０】
上記課題を解決するために、請求項１に記載された発明では、エアバッグリッド部材と、該エアバッグリッド部材の裏面側に配設された樹脂製枠部材とを備え、前記エアバッグリッド部材が、裏面側に形成された閉ループ状の開裂溝によって、ヒンジ中心部を有して開成されるリッド部と、該リッド部の外周を取囲む外周部とに区画分けされ、前記樹脂製枠部材が、リッド部に固着されるドア部と、外周部に固着される枠部と、前記ドア部および枠部の間の前記ヒンジ中心部のほぼ下方部分を余長を有して連結する余長部とを備えたエアバッグリッド部構造において、前記余長部の位置に、前記ドア部および枠部の間を、前記余長部よりも短い長さで連結するブリッジ部を部分的に設けたエアバッグリッド部構造を特徴としている。
【００１１】
請求項２に記載された発明では、前記ブリッジ部と前記余長部との間に、両者を分離するスリットを設けると共に、該スリットを前記ドア部の側に延長して、前記ドア部を、ブリッジ部側ドア部と余長部側ドア部とに分離したことを特徴としている。
【００１２】
請求項３に記載された発明では、前記ブリッジ部を、余長部の両側位置に設けたことを特徴としている。
【発明の効果】
【００１３】
請求項１の発明によれば、エアバッグリッド部材と、該エアバッグリッド部材の裏面側に配設された樹脂製枠部材とを備え、前記エアバッグリッド部材が、裏面側に形成された閉ループ状の開裂溝によって、ヒンジ中心部を有して開成されるリッド部と、該リッド部の外周を取囲む外周部とに区画分けされ、前記樹脂製枠部材が、リッド部に固着されるドア部と、外周部に固着される枠部と、前記ドア部および枠部の間の前記ヒンジ中心部のほぼ下方部分を余長を有して連結する余長部とを備えたエアバッグリッド部構造において、前記余長部の位置に、前記ドア部および枠部の間を、前記余長部よりも短い長さで連結するブリッジ部を部分的に設けたことにより、閉ループ状の開裂線が破断された時にブリッジ部がドア部およびリッド部をフリーにしない（或いは、フリーになるのを遅らせる）ようにすると共に、これらの回動を案内して、余長部が回動補助機能を発揮し始めるまでの間の中継ぎを行うので、ドア部およびリッド部を、いわゆる回動モードで確実に作動させることができ、以て、並進モードの発生を防止することが可能となる。
【００１４】
請求項２に記載された発明では、前記ブリッジ部と前記余長部との間に、両者を分離するスリットを設けると共に、該スリットを前記ドア部の側に延長して、前記ドア部を、ブリッジ部側ドア部と余長部側ドア部とに分離したことにより、ブリッジ部と余長部とを機能的に明確に分離することが可能となり、それぞれの機能を確実に発揮させることができるようになると共に、ブリッジ部の伸びや破断などによる反力を余長部や余長部側ドア部に伝達しないようにすることができる。
【００１５】
請求項３に記載された発明では、前記ブリッジ部を、余長部の両側位置に設けたことにより、開成初期におけるドア部およびリッド部の回動を安定させることができる。
【発明を実施するための最良の形態】
【００１６】
以下、本発明を具体化した実施例について、図示例と共に説明する。
【実施例】
【００１７】
図１〜図７は、この発明の実施例を示すものである。なお、インストルメントパネル１の構成については、図８を用いて説明したものと基本的にほぼ同様なので、必要に応じてこの図面を参照する。
【００１８】
まず、構成について説明する。自動車などの車両には、車室内の前部に、図８に示すようなインストルメントパネル１が設けられている。このインストルメントパネル１には、芯材単層のものや、芯材と表皮とを有する二層のものや、芯材と発泡層と表皮とを有する三層のものや、芯材と多層表皮とを有する多層のものなど、各種のものが存在する。この実施例では、図１などに示すように、芯材と表皮とを有する二層となっているが、これに限るものではない。
【００１９】
このインストルメントパネル１には、助手席側の部分に助手席用のエアバッグ装置が設けられている。この助手席用のエアバッグ装置は、緊急時にインストルメントパネル１の部分から袋状のエアバッグ本体を車室内乗員側へ向けて膨出させることにより、乗員を保護・拘束し得るようにしたものである。このような助手席用のエアバッグ装置は、エアバッグ本体を膨出可能に備えたエアバッグモジュールと、インストルメントパネル１からのエアバッグ本体の膨出開口部となるエアバッグリッド部２とを備えている。
【００２０】
このうち、エアバッグリッド部２は、図１に示すように、エアバッグリッド部材３と、このエアバッグリッド部材３の裏面側に配設された樹脂製枠部材４とを備えている。エアバッグリッド部２には、インストルメントパネル１と一体のものと、別体のものとが存在する。どちらもインストルメントパネル１と面一となるように設置される。この場合には、インストルメントパネル１と一体のものとされているが、これに限るものではない。
【００２１】
上記したエアバッグリッド部材３は、裏面側に閉ループ状の開裂溝６を備えており、この開裂溝６によって、ヒンジ中心部７を有して開成されるリッド部８と、このリッド部８の外周を取囲む外周部９とに区画分けされている。
【００２２】
ここで、閉ループ状の開裂溝６は、平面視、ほぼロ字状またはほぼ日字状を呈している。この場合には、日字状となっている。また、ヒンジ中心部７は、閉ループ状の開裂溝６のうちで一番最後に破断される部分となる。即ち、閉ループ状の開裂溝６がほぼロ字状の場合、ヒンジ中心部７は、奥側の横開裂溝部分となる。また、閉ループ状の開裂溝６がほぼ日字状の場合、ヒンジ中心部７は、中央を除く奥側と手前側の横開裂溝部分となる。上記した外周部９は、リッド部８の外側領域となる。
【００２３】
また、上記した樹脂製枠部材４は、リッド部８に固着されるドア部１１と、外周部９に固着される枠部１２と、ドア部１１および枠部１２の間のヒンジ中心部７のほぼ下方部分を所要の余長を有して連結する余長部１３とを備えている。
【００２４】
ここで、樹脂製枠部材４は、例えば、図２に示すような立体形状となっている。
ドア部１１とリッド部８との間、および、枠部１２と外周部９との間は、それぞれ、ほぼ対応する形状を有しており、これらの間は、例えば、振動溶着などによって固着される。そのために、図３に示すように、ドア部１１および枠部１２の上面には、振動溶着用リブ２１，２２などが設けられている。なお、枠部１２は、図１に示すように、その下面側に、エアバッグ本体の膨出開口部にほぼ沿って、エアバッグ本体の膨出方向へほぼ延びる取付脚部を一体に有している。この取付脚部は、エアバッグモジュールの上端部を収容してエアバッグ本体の膨出をガイドすると共に、エアバッグモジュールの上端部を係止、保持させるようにしたものである。
【００２５】
そして、図２、図３に示すように、ドア部１１と枠部１２との間は、余長部１３の部分を除き、所要のスリット状空間２３を有して分離されている。この場合、開裂溝６が日字状であるため、これに対応してスリット状空間２３は、余長部１３の部分を除いた平面視ほぼＨ字状を呈している。
【００２６】
また、余長部１３は、ヒンジ中心部７の真下に対して、若干内側寄りの位置に設けられている。この余長部１３は、後述する回動モードに必要な長さに形成される。この余長部１３は、側面視で下方に凸となるほぼｕ字状などとされている。このほぼｕ字状をした余長部１３は、エアバッグ本体の膨出方向へ向くように若干傾斜されている。余長部１３は、横方向（車幅方向）に対して連続したものとしても良いが、この場合には、余長部１３は、スリット２５などによって、横方向（車幅方向）に対し、所要長さの複数の余長部片２４に分離して、相互間の影響を遮断し得るようにしている。
【００２７】
そして、以上のような基本構成に対し、この実施例のものでは、余長部１３の位置に、ドア部１１および枠部１２の間を、余長部１３よりも短い長さで連結するブリッジ部３１を部分的に設けるようにしている。なお、ブリッジ部３１は、枠部１２の上面と面一となるように設けるのが好ましい。
【００２８】
更に、ブリッジ部３１と余長部１３との間に、両者を分離するスリット２６を設けると共に、このスリット２６をドア部１１の側に延長して、ドア部１１を、ブリッジ部側ドア部３２と余長部側ドア部３３とに分離する。
【００２９】
ブリッジ部３１は、余長部１３の間の位置に設けても良いが、好ましくは、ブリッジ部３１を、余長部１３の両側位置に設けるようにする。
【００３０】
次に、この実施例の作用について説明する。
【００３１】
緊急時にエアバッグモジュールから膨張・展開したエアバッグ本体は、図５に矢印Ａで示すように、ドア部１１およびリッド部８を下側から押圧し、閉ループ状の開裂溝６を破断して、図６、図７に順に示すように、ドア部１１およびリッド部８を開成し、インストルメントパネル１の部分に膨出開口部を形成することによって、車室内へ膨出して行くように作動する。
【００３２】
一方、閉ループ状の開裂溝６が破断されて開成を開始したドア部１１およびリッド部８は、図６、図７に順に示すように、ヒンジ中心部７を中心として最後まで回動すると共に、余長部１３は、この回動に追従して伸びることにより回動を補助し、且つ、ドア部１１と枠部１２との分離による飛散を防止するように作動する。
【００３３】
この実施例によれば、余長部１３の位置に、ドア部１１および枠部１２の間を、余長部１３よりも短い長さで連結するブリッジ部３１を部分的に設けたことにより、閉ループ状の開裂溝６が破断された時（開成初期）にブリッジ部３１がドア部１１およびリッド部８をフリーにしない（或いは、フリーになるのを遅らせる）ようにすると共に、これらの回動を案内して（或いは、回動中心となって）、余長部１３が回動補助機能を発揮し始めるまでの間の中継ぎを行うので、ドア部１１およびリッド部８を、いわゆる回動モードで確実に作動させることができ、以て、並進モードの発生を防止することが可能となる。
【００３４】
加えて、ブリッジ部３１が抵抗となって、閉ループ状の開裂溝６の破断のタイミングを若干でも遅らせることもできるため、回動モードにとっては有利である。
【００３５】
なお、ブリッジ部３１は、機能を果たした後で、図７に示すように、破断されることとなる。
【００３６】
また、ブリッジ部３１と余長部１３との間に、両者を分離するスリット２６を設けると共に、このスリット２６をドア部１１の側に延長して、ドア部１１を、ブリッジ部側ドア部３２と余長部側ドア部３３とに分離したことにより、ブリッジ部３１と余長部１３とを機能的に明確に分離することが可能となり、それぞれの機能を確実に発揮させることができるようになると共に、ブリッジ部３１の伸びや破断などによる反力を余長部１３や余長部側ドア部３３に伝達しないようにすることができる。
【００３７】
そして、ブリッジ部３１を、余長部１３の両側位置に設けたことにより、少数のブリッジ部３１で、開成初期におけるドア部１１およびリッド部８の回動を安定させることができる。
【００３８】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、複数の実施例や変形例が示されている場合には、これらの可能な組合せが含まれることは勿論である。
【図面の簡単な説明】
【００３９】
【図１】本発明の実施例にかかるエアバッグリッド部の側断面図である。
【図２】図１の樹脂製枠部材の斜視図である。
【図３】図２の部分拡大斜視図である。
【図４】図２を裏面側から見た部分拡大斜視図である。
【図５】図１の作動図である。
【図６】図５に続く作動図である。
【図７】図６に続く作動図である。
【図８】従来例および実施例の説明に用いたインストルメントパネルの斜視図である。
【図９】従来例におけるエアバッグリッド部の側断面図である。
【図１０】図９の作動図である。
【図１１】回動モードの場合の図１０に続く作動図である。
【図１２】並進モードの場合の図１０に続く作動図である。
【符号の説明】
【００４０】
２    エアバッグリッド部
３    エアバッグリッド部材
４    樹脂製枠部材
６    開裂溝
７    ヒンジ中心部
８    リッド部
９    外周部
１１  ドア部
１２  枠部
１３  余長部
２６  スリット
３１  ブリッジ部
３２  ブリッジ部側ドア部
３３  余長部側ドア部
【図１】
2008062907.tif 000003
【図２】
2008062907.tif 000004
【図３】
2008062907.tif 000005
【図４】
2008062907.tif 000006
【図５】
2008062907.tif 000007
【図６】
2008062907.tif 000008
【図７】
2008062907.tif 000009
【図８】
2008062907.tif 000010
【図９】
2008062907.tif 000011
【図１０】
2008062907.tif 000012
【図１１】
2008062907.tif 000013
【図１２】
2008062907.tif 000014